(57)【要約】【課題】写真プリント費用を広告主が少なくても一部負担することができるとともに、プリント依頼者の個人情報と画像属性情報を組み合わせる事により広告対象者を絞った適切な広告付画像を提供することである。【解決手段】  複数の広告からなる広告群から、撮影者乃至は鑑賞者の個人情報と、画像の内容に関わる分類可能な画像属性情報と、広告を提供する広告主の要望情報との中から前記個人情報乃至は前記要望情報とを優先して前記広告群の内から広告を選択し、前記選択された広告を前記画像に付加する。 【選択図】  図１
2008014976.tif 000002
【特許請求の範囲】
【請求項１】
撮影者によって撮影された写真を含む画像に広告を付加する広告付加装置で、撮影者乃至は観察者の個人情報と、広告を提供する広告主の要望情報と、画像情報を含むその他の情報に基づいて複数の広告からなる広告群の内から適した広告を選択し、前記選択された広告を前記画像に付加する広告付加装置で、優先的に前記個人情報乃至は前記要望情報に基づいて選択された広告を前記画像に付加する広告付加制御手段を備えた広告付加装置。
【請求項２】
撮影者によって撮影された写真を含む画像に広告を付加する広告付加方法で、撮影者乃至は観察者の個人情報を取得するステップと、広告を提供する広告主の要望情報を取得するステップと、前記画像を分類した画像分類情報を含むその他の情報を取得するステップと、前記個人情報と前記要望情報と前記その他の情報に基づいて前記複数の広告の中から少なくとも１つの広告を選択するステップと、選択された広告を前記画像に付加するステップを備えた広告付加方法で、優先的に前記個人情報乃至は前記の要望情報に基づいて広告を選択し、選択された広告に前記画像を付加する広告付加方法。
【請求項３】
撮影者によって撮影された写真を含む画像に広告が付加される広告付き画像で、前記撮影者乃至は観察者の個人情報と、広告を提供する広告主の要望情報と、前記画像を分類した画像分類情報を含むその他の情報とに基づいて前もって記憶された広告群の内から広告を選択する広告付加制御手段とを備え、前記制御手段は優先的に前記個人情報と前記要望情報に基づいて広告を選択し、選択された広告を前記画像に付加するように制御し、前記選択された広告が付加される広告付き画像。
【発明の詳細な説明】
【技術分野】
【０００１】
本発明は、写真を含む画像に広告を付加する装置、広告付加方法、広告付き画像に関し、特に広告主からの広告を大量に出回る写真を含む画像に付加し、更に、写真のプリント及び画像の処理に関する費用を広告主が少なくとも一部を負担するようにした広告付加装置、広告付加方法並びに広告付き画像に関する。
【背景技術】
【０００２】
従来、撮影者が撮影した画像を解析して画像情報を得、その画像情報に適切な広告を選択して写真に付加する方法について知られている（例えば特許文献１）。
また、撮影者がプリント依頼時にアンケート用紙に記載した撮影者情報に基づいて複数の広告を記憶するデータベースから適合する広告を選択し、写真プリントに付加し、広告主が写真プリントに関する費用を少なくとも一部負担する広告付写真プリントの製造方法は知られている（例えば特許文献２）。
【０００３】
【特許文献１】特開２００２−１５２２０
【特許文献２】特開２００４−１７７７２７
【発明の開示】
【発明が解決しようとする課題】
【０００４】
特許文献１では、撮影者が撮影した画像を解析して画像情報を得るものである。この画像情報だけでは、正確な被写体の情報が得られるものでないし、技術的に大変困難な技術で、大掛かりな装置が必要となる。
特許文献２では、撮影者が写真を撮ってプリントを依頼する場合に依頼時にアンケート用紙に撮影者が記載した情報、例えば、撮影者の性別、年齢、家族構成、職種、地域、趣味に基づいて付加した広告である。その広告の内容に適した画像でないこともあり、また、写真は撮影者自身のための写真ではなく、例えばその写っている人に提供する場合もあるし、例えばかわいいネコの写真などネコ愛好家である人に送る場合もある。そのときに提供される側に立った広告でないと好ましい広告と言えずに広告をした割には広告主を喜ばすことなく、広告の効果が出ないので広告主を失望させる場合もあった。
【０００５】
本発明は、このような従来の構成が有していた問題を解決しようとするものであり、写真を提供される撮影者乃至は観察者に適した広告を選択し、広告主を失望させない広告付写真プリント装置を提供するものである。
【課題を解決するための手段】
【０００６】
本発明は、撮影者によって撮影された写真を含む画像に広告を付加する広告付加装置で、撮影者乃至は観察者の個人情報と、広告を提供する広告主の要望情報と、画像情報を含むその他の情報に基づいて複数の広告からなる広告群の内から適した広告を選択し、前記選択された広告を前記画像に付加する広告付加装置で、優先的に前記個人情報乃至は前記要望情報に基づいて選択された広告を前記画像に付加する広告付加制御手段を備えた広告付加装置を提供することにある。
【０００７】
また、本発明は撮影者によって撮影された写真を含む画像に広告を付加する広告付加方法で、撮影者乃至は観察者の個人情報を取得するステップと、広告を提供する広告主の要望情報を取得するステップと、前記画像を分類した画像分類情報を含むその他の情報を取得するステップと、前記個人情報と前記要望情報と前記その他の情報に基づいて前記複数の広告の中から少なくとも１つの広告を選択するステップと、選択された広告を前記画像に付加するステップを備えた広告付加方法で、優先的に前記個人情報乃至は前記の要望情報に基づいて広告を選択し、選択された広告に前記画像を付加する広告付加方法を提供することにある。
【０００８】
また本発明は、撮影者によって撮影された写真を含む画像に広告が付加される広告付き画像で、前記撮影者乃至は観察者の個人情報と、広告を提供する広告主の要望情報と、前記画像を分類した画像分類情報を含むその他の情報とに基づいて前もって記憶された広告群の内から広告を選択する広告付加制御手段とを備え、前記制御手段は優先的に前記個人情報と前記要望情報に基づいて広告を選択し、選択された広告を前記画像に付加するように制御し、前記選択された広告が付加される広告付き画像を提供することにある。
【発明の効果】
【０００９】
上述したように本発明により撮影者乃至は観察者の個人情報を優先して広告を選択するので広告主にとっても適切な広告が写真に付加され、広告を付加することによりプリント代を補助するメリットを撮影者並びに観察者は享受することができた。
【発明を実施するための最良の形態】
【００１０】
図１は、本発明の広告付加装置の概略構成を示す。１は広告コンテンツマッチングシステム装置、２は撮影者乃至は観察者が画像を入力し転送させるパーソナルコンピューターや携帯電話機等であるクライアント端末を示し、不図示のインターネット等のネットワークを介して広告コンテンツマッチングシステム装置１とクライアント端末２は接続されている。広告コンテンツマッチングシステム装置１は、３で示す画像サーバ、４で示す顧客管理サーバ、５で示す広告コンテンツサーバ、６で示すマッチングシステムで構成されている。７は画像サーバ３に保管された画像と広告コンテンツサーバ５に保管された広告とを合成する合成システムを示し、８は合成システム７で合成された広告付き画像をプリントするプリントシステムを示す。
【００１１】
画像サーバ３には画像を保管した９で示す画像データベースと、画像の内容を分類した画像分類情報を含む画像分類情報データベースを示す１０を備える。また、顧客管理サーバ４には１１で示す撮影者の個人属性を備えた撮影者属性データベースと、１２で示す撮影者が撮影した画像を観察する観察者の個人属性を備えた観察者属性データベースと、更に１３で示す観察者が団体である場合に観察者グループの観察者団体属性データベースを備える。また広告コンテンツサーバ５には、１４で示す広告主の要望事項を記憶した広告ターゲットデータベースと１５で示す１つ又は複数の広告データを格納する広告コンテンツデータベースとを備え、広告コンテンツデータベース１５は広告ターゲットデータベース１４のターゲットによって分類されているが、広告コンテンツは１つ又は複数の広告ターゲットデータに対応している。広告マッチングサービスを管理するマッチングシステム６を中心として、撮影者乃至は観察者がネットワークを介して画像を格納する画像サーバ３内の画像データベース９及び、撮影者乃至は観察者の個人情報を登録する顧客管理サーバ４には撮影者属性データベース１１と、観察者属性データベース１２と、観察者がグループである場合の観察者グループ属性データベース１３に接続されており、広告コンテンツサーバ５からの要求に応じてマッチングすることができ、マッチングされたデータはネットワークによって合成システム７で画像と広告コンテンツが合成されたデータが、プリントシステム８へと伝達することができる。なお図１では、合成システム７の後にプリントシステム８が接続されているが、マッチング後に合成するのではなくプリント後に広告コンテンツを付加してもよい。例えば、インクジェットプリンターで画像をプリント後に、広告コンテンツをプリントされた画像に再プリントしてもよい。
【００１２】
広告コンテンツマッチングシステム１に接続するクライアント端末２は、パーソナルコンピューターやカメラ付き携帯電話等のインターネットに接続できる端末を指し、今後送信機能付きデジタルカメラや、デジタルＴＶ等のネットワーク接続が可能な端末を全て対象としている。
【００１３】
画像サーバ３とは、画像データベース９及び画像分類情報データベース１０で構成され、撮影者乃至は観察者並びにクライアント端末への入力を代行するユーザーのクライアント端末２から不図示のインターネット等のネットワークを介して受け取った画像データに対して画像データ処理を行い画像データベース９に格納される。または、画像データベース内に格納後に画像処理をしてもよい。
【００１４】
画像分類情報データベース１０とは、撮影者乃至は観察者が撮影前または撮影後に写真そのものを分類し設定する情報であり、写真の内容を特定するための１つ以上のキーワードを持つ言語及び数字で構成されるタグ情報を格納している。例えば画像データに対して「海」「サーフィン」「晴れ」「きもちいい」等の１つ以上のタグ情報として表され格納することができる。なお、前記画像データは、ＷＷＷ上に設けられたサイト上での観察も考えられ、撮影者乃至は観察者だけではなく画像データを観察した１人以上の第３者が設定することができ、画像内容をいろいろな内容で捉えることができる。
【００１５】
顧客管理サーバ４は、撮影者属性データベース１１、観察者属性データベース１２、観察グループデータベース１３から構成されている。撮影者乃至は観察者並びにクライアント端末への入力を代行するユーザーのクライアント端末２から画像データをインターネット等のネットワークを介して受け取る工程において前記撮影者乃至は観察者の氏名・住所・年齢・性別・国籍・電話番号・メールアドレス・最終学歴・家族構成・配偶者情報・住居形態・趣味嗜好・勤務先情報やその他アンケート項目を入力し保管する処理を撮影者属性データベース１１並びに観察者属性データベース１２が行う。また、観察者が一人以上の場合は、団体などの属性情報を入力させ保管を観察グループデータベース１３が行う。
【００１６】
マッチングシステム６を図２のフローチャートに基づいて説明する。前述したように画像サーバ３と顧客管理サーバ４と広告コンテンツサーバ５のデータをマッチングして適した広告を選択するものであり、まず撮影者からクライアント端末２を介して画像、例えば東京の高校野球予選の写真をアップロードし、Ｓ１に示すように画像データベース９に画像を格納する。次にＳ２で示すように画像分類情報データベース１０に「野球」と入力する。顧客管理サーバ４には、Ｓ３で示すように、この写真が贈呈用と撮影者個人用とで分別し、贈呈用の場合は、例えばこの写真を福岡に住む高校３年生の孫に送るので、Ｓ４で示すように観察者属性データベース１３に「福岡市」のデータを入力させる。Ｓ５で示すように広告ターゲットデータベース１４には広告主が設定した要望情報「福岡市」が格納され、Ｓ６に示すように広告コンテンツデータベース１５に「福岡市」の広告コンテンツがあるか否かを検索し、Ｓ７で示すように広告コンテンツに福岡Ａ予備校の広告があるとその広告を選択する。
もし該当する広告はなかったとする。次にＳ８で示すように画像分類データベースから「野球」を読み出し、Ｓ９で示すように広告ターゲットデータベース１４に「野球」と入力するとＳ１０で示すようにプロ野球Ｂ球団の広告が選択される。
【００１７】
また、Ｓ３で撮影者個人用の場合は、Ｓ１１に撮影者属性データベース１１に「６０歳」のデータが入力される。Ｓ１２のように、広告ターゲットデータベース１４に撮影者属性情報が「６０歳」を入力すると、Ｓ１３で広告コンテンツデータベース１５から「Ｃ温泉会社」の広告が選ばれる。
【００１８】
本発明の請求範囲１〜３における写真を含む画像は、写真のように紙媒体等に画像を表示するもの、またディスプレイやモニタ等に電子的画像を表示する表示器を指すものである。
【００１９】
本発明により、複数の広告を含む広告群を記憶した広告付加装置で、撮影者によって撮影された撮影者乃至は観察者の個人情報と、撮影前または撮影後に写真そのものを分類し設定する情報と、広告を提供する広告主の要望情報とに基づいて前記広告群の内から広告を選択するが、この中でも、撮影者乃至は観察者の個人情報と広告を提供する広告主の要望情報を、撮影前または撮影後に写真そのものを分類し設定する画像情報より優先して選択し、前記選択された広告を前記画像に付加する広告付加装置を提供するものである。例えば自動車を撮影した人は必ずしも車の愛好家ではない場合があるので本発明は写されている画像情報よりは撮影者乃至は観察者の個人情報乃至は広告主の要望情報を優先するものである。
【図面の簡単な説明】
【００２０】
【図１】本発明に係るブロックダイアグラムを示す。
【図２】本発明に係るフローチャートを示す。
【符号の説明】
【００２１】
１ …広告コンテンツマッチングシステム装置
２ … クライアント端末
３ … 画像サーバ
４ … 顧客管理サーバ
５ … 広告コンテンツサーバ
６ … マッチングシステム
７ … 合成システム
８ … プリントシステム
９ … 画像データベース
１０ … 画像分類情報データベース
１１ … 撮影者属性データベース
１２ … 観察者属性データベース
１３ … 観察者グループデータベース
１４ … 広告ターゲットデータベース
１５ … 広告コンテンツデータベース
【図１】
2008014976.tif 000003
【図２】
2008014976.tif 000004